(57)【特許請求の範囲】
【請求項１】
玩具銃の機関部に配置されピストンスプリングで圧縮空気を生成するピストンシリンダー装置と、該ピストンシリンダー装置のピストンの往復動作に伴って前後移動するウェイトとを備え、弾発射時にピストンに連動したウェイトの移動で反作用を発生させる玩具銃の反作用発生機構において、ピストンの内部にウェイト収納部を形成すると共に、ウェイト収納部内にウェイトを前後移動自在に配置し、該ウェイトの先端とピストンの先端部内側面との間に緩衝体を設置して該緩衝体でウェイトの衝突時の衝撃力を低減するように構成し、
弾発射時に、ピストン内部のウェイトがピストンと共にシリンダー先端側に高速移動することで反作用を発生させるように構成したことを特徴とする玩具銃の反作用発生機構。
【請求項２】
前記ピストン内に配置された前記ウェイトは、前記ピストンの前記ウェイト収納部内に後方から挿入するピストンスプリングの先端部内側に収納され、該ピストンスプリングと共に前記ウェイト収納部内で前後移動するように構成した請求項１記載の玩具銃の反作用発生機構。
【請求項３】
前記ピストンシリンダー装置のシリンダーは、該シリンダーの先端に形成されたシリンダーノズルから圧縮空気を噴射して弾を発射するように設けられ、該シリンダーノズルの内部に遊嵌する突起を前記ピストンの先端部に突設し、弾発射後、該突起の先端がシリンダーノズルの内部に遊嵌した時点でシリンダーと前記ピストン先端との間に残っている圧縮空気を、前記ピストン３衝突時のエアークッションに変換するように構成した請求項１又は２記載の玩具銃の反作用発生機構。
【請求項４】
前記ピストンスプリングは、前記機関部に形成されたスプリングガイド部に囲まれるように配置し、前記ピストンスプリングを圧縮した時に生じる前記ピストンスプリングのうねりをスプリングガイド部で補正するように構成した請求項１記載の玩具銃の反作用発生機構。
【発明の詳細な説明】
【技術分野】
【０００１】
本発明は、玩具銃の発射時に実銃のような反作用の衝撃を発生させることができる玩具銃の反作用発生機構に関するものである。
【背景技術】
【０００２】
玩具銃でＢＢ弾を発射した時に、実銃と同じような反作用（リコイルショック）を発生させる機構は従来から提案されている。この反作用は、例えば、特許文献１に記載のエアガンには、前後移動するピストンの先端に連動するバレルを設け、このバレルにウェイトとリコイルスプリングを装着したものである。そして、発射時に、ピストンの前進に伴ってバレルが前進すると、このバレルに遊嵌されているウェイトとリコイルスプリングが前後移動して反作用を発生させる機構である。
【０００３】
一方、特許文献２に記載の反作用発生機構は、特許文献１のバレルを伝動ロッドに代えて、ピストンの往復動作に連動する伝動ロッドを使用するものである。この伝動ロッド内には中空部が形成されており、更に、中空部内に緩衝ロッドと緩衝ロッドスプリングとを摺動可能に設けている。このような伝動ロッドがウェイトとリコイルスプリングを移動させて反作用を発生させるものである。
【先行技術文献】
【特許文献】
【０００４】
【特許文献１】実公平５‐４７９９１号公報
【特許文献２】特許第４９５９８３８号公報
【発明の概要】
【発明が解決しようとする課題】
【０００５】
従来の反作用発生機構は、いずれもピストンに連動するバレルや伝動ロッドなどを使用してウェイトやリコイルスプリングを前後移動させる構成である。そのため、これらのウェイトやリコイルスプリングを配置する位置は、ピストンを設置する機関部の前方や後方など、機関部から離れた位置に配置せざるを得ない。その結果、従来の反作用発生機構を備える玩具銃のサイズは大型の玩具銃に限られていた。
【０００６】
たとえば、機関部の後方に反作用発生機構を配置する場合は、銃の肩当て部を利用している。また、機関部の前方に反作用発生機構を配置する場合は、長い銃身を利用して配置することになる。このように、従来の反作用発生機構は、小銃のような大型の玩具銃でなければ装着することができず、肩当てのない小銃や拳銃などの小型の玩具銃に装着することは極めて困難であった。
【０００７】
しかも、実銃で弾丸発射時に生じる反作用は、弾丸が装填される機関部から発生するものであるが、玩具銃に装着した反作用発生機構は、ピストンを配置した機関部から離れた位置でウェイトが移動して反作用を発生させる構成である。そのため、従来の反作用発生機構では、実銃の反作用の衝撃とは異なる感覚となってしまう難点があった。
【０００８】
そこで本発明は上述の課題を解消すべく創出されたもので、極めてコンパクトな構成で小型の玩具銃にも適応し、しかも、実銃の反作用が発生する位置をリアルに再現することが可能な玩具銃の反作用発生機構の提供を目的とするものである。
【課題を解決するための手段】
【０００９】
上述の目的を達成すべく本発明における第１の手段は、玩具銃の機関部Ｐに配置されピストンスプリング２で圧縮空気を生成するピストンシリンダー装置１と、該ピストンシリンダー装置１のピストン３の往復動作に伴って前後移動するウェイト５とを備え、弾Ｑ発射時にピストン３に連動したウェイト５の移動で反作用を発生させる玩具銃の反作用発生機構において、ピストン３の内部にウェイト収納部３Ａを形成すると共に、該ウェイト収納部３Ａ内にウェイト５を前後移動自在に配置し、該ウェイト５の先端と、ピストン３の先端部内側面３Ｂとの間に緩衝体６を設置して該緩衝体６でウェイト５の衝突時の衝撃力を低減するように構成し、
弾Ｑ発射時に、ピストン３内部のウェイト５がピストン３と共にシリンダー４先端側に高速移動することで反作用を発生させるように構成したことにある。
【００１０】
本発明の対象となる玩具銃は、ピストンシリンダー装置１を使用してリコイルショックを発生させる方式の玩具銃に関するものである。したがって、ピストンシリンダー装置１を駆動する機構は、電動式に限らず、手動圧縮エアー式や、ガス等の流体でのピストン式など、任意の機構を選択することができる。
【００１１】
本発明のピストン３は、合成樹脂、アルミニウム、チタンなど、比較的計量素材を選択し、ウェイト５の材質に重量のある金属製素材を選択するのが望ましい。また、ウェイト５の形状、材質、重さ等は任意に設定することができる。更に、ウェイト５を収納するウェイト収納部３Ａの形状においても、ピストン３の後端が開口する凹部状や、ピストン３内部に周囲から独立した空間を有するウェイト収納部３Ａなど、任意形状のウェイト収納部３Ａを形成することが可能である。
【００１２】
また緩衝体６は、スプリングの他、ゴム材や合成樹脂材、蛇腹状のエアークッション体、オイルクッションなど、ウェイト５の衝突時の衝撃力を低減するものが選択される。
【００１３】
第２の手段において、前記ピストン３内に配置された前記ウェイト５は、前記ピストンの前記ウェイト収納部３Ａ内に後方から挿入するピストンスプリング２の先端部内側に収納され、該ピストンスプリング２と共に前記ウェイト収納部３Ａ内で前後移動するように構成している。ピストンスプリング２内に収納するウェイト５の長さや形状等は任意に選択することができる。
【００１４】
第３の手段において、前記ピストンシリンダー装置１のシリンダー４は、該シリンダー４の先端に形成されたシリンダーノズル４Ａから圧縮空気を噴射して弾Ｑを発射するように設けられ、該シリンダーノズル４Ａの内部に遊嵌する突起３Ｃを前記ピストン３の先端部に突設し、弾Ｑ発射後に該突起３Ｃの先端がシリンダーノズル４Ａの内部に遊嵌した時点でシリンダー４と前記ピストン３先端との間に残っている圧縮空気を、前記ピストン３衝突時のエアークッションに変換するように構成したものである。このとき、突起３Ｃの長さでシリンダー４とピストン３先端との間に残っている圧縮空気の量を調整することができる。
【００１５】
第４の手段は、前記ピストンスプリング２は、前記機関部Ｐに設けられたスプリングガイド部７に囲まれるように配置し、前記ピストンスプリング２を圧縮した時に生じる前記ピストンスプリング２のうねりをスプリングガイド部７で補正するように構成したことにある。
【発明の効果】
【００１６】
本発明の請求項１のごとく、ピストン３の内部にウェイト収納部３Ａを形成すると共に、該ウェイト収納部３Ａ内にウェイト５を前後移動自在に配置し、弾Ｑ発射時に、ピストン３内部のウェイト５がピストン３と共にシリンダー４先端側に高速移動することで反作用を発生させるように構成したことで、機関部内の僅かなスペースでも装着可能になった。したがって、従来の反作用発生機構では装着が困難とされていた小形の銃などでも装着可能になり、小銃から拳銃に至るすべてのサイズの玩具銃に適応可能な反作用発生機構を提供することができた。
【００１７】
しかも、ウェイト５は、ピストンシリンダー装置１を配した機関部Ｐのピストン３内で反作用等を発生させる構成であるから、実銃の反作用や衝撃が発生する位置までリアルに再現することができる。
【００１８】
また、ピストン３内に配置されたウェイト５の先端と、ピストン３の先端部内側面３Ｂとの間に緩衝体６を設置し、該緩衝体６でウェイト５の衝突時の衝撃力を低減するように構成したことで、特に、電動エアガンのようにモーターによる急加速後退移動を繰り返す過酷な使用状況に耐え、衝突時の強烈なショックを効果的に緩和させることができる。この結果、ピストンシリンダー装置１など各種部品のダメージを減らすと共に、ウェイト５が衝突する際の不快な違和感を減少させ、実銃射撃時のリコイルショック様の体感が得られるものである。
【００１９】
請求項２のごとく、ピストン３内に配置されたウェイト５は、ピストンのウェイト収納部３Ａ内に後方から挿入するピストンスプリング２の先端部内側に収納され、該ピストンスプリング２と共にウェイト収納部３Ａ内で前後移動するように構成したことで、肩当てのない小銃のようにピストン３のストロークが短いピストンシリンダー装置１でも、ピストンスプリング２の弾発力を効果的に利用することができる。したがって、拳銃のような小型の玩具銃でも、実銃の反作用をリアルに再現することが可能になった。
【００２０】
請求項３のように、ピストン３の先端部に突起３Ｃを突設し、弾Ｑ発射後に突起３Ｃの先端がシリンダーノズル４Ａの内部に遊嵌した時点でシリンダー４とピストン３先端との間に残っている圧縮空気を、前記ピストン３衝突時のエアークッションに変換するように構成したことで、ピストン３は、最後までシリンダー４に衝突せずに減速させることができる。しかも、突起３Ｃの長さでシリンダー４とピストン３先端との間に残っている圧縮空気の量を調整できるので、衝撃力や発射音の音量を調整することが可能になる。
【００２１】
請求項４のごとく、ピストンスプリング２は、機関部Ｐに形成されたスプリングガイド部７に囲まれるように配置し、ピストンスプリング２を圧縮した時に生じるピストンスプリング２のうねりをスプリングガイド部７で補正するように構成したことで、ピストンスプリング２の正確な伸縮動作を保つことができる。したがって、ウェイト５が衝突して反作用が生じた後、再びピストンスプリング２を圧縮する際に、正常な位置で圧縮できるようになり、ピストンスプリング２の正確な伸縮動作を繰り返すことが可能になる。
【図面の簡単な説明】
【００２２】
【図１】本発明を装着した機関部の一実施例を示す縦断面図。
【図２】図１の機関部による操作開始状態を示す縦断面図。
【図３】図１の機関部でピストンが下がる状態を示す縦断面図。
【図４】図１の機関部でピストンが最後まで下がった状態を示す縦断面図。
【図５】図１の機関部でピストンの前進が始まる状態を示す縦断面図。
【図６】図１の機関部で弾を発射した状態を示す縦断面図。
【図７】図１の機関部でシリンダーノズルに突起が遊嵌した状態を示す縦断面図。
【図８】図１の機関部でウェイトがピストンに衝突した状態を示す縦断面図。
【図９】図１の機関部のスプリングガイド部を示す横断面図。
【図１０】図１の機関部のシリンダーノズルを示す要部拡大縦断面図。
【発明を実施するための形態】
【００２３】
本発明反作用発生機構によると、極めてコンパクトな構成で肩当てのない銃や拳銃などの小型の玩具銃にも適応し、実銃の反作用が発生する位置までリアルに再現することが可能になるといった当初の目的を達成した。
【００２４】
以下、本発明の実施例を説明する。本発明反作用発生機構は、機関部Ｐにピストンシリンダー装置１を配置し、ピストンスプリング２にて圧縮空気を生成する玩具銃に装着する。そして、ピストン３の往復動作に伴って前後移動するウェイト５を備え、弾Ｑ発射時にピストン３に連動したウェイト５の移動で反作用を発生させる機構である（図１参照）。図示例では電動式の機関部Ｐを示し、玩具銃の本体は省略されているが、この機関部Ｐは、例えば小銃を模した玩具銃の駆動機構として設置される。また、機関部Ｐの駆動機構は図示の電動式に限らず、手動圧縮エアー式や、ガス等の流体でのピストン式など、任意の機構を選択することができる。
【００２５】
本発明反作用発生機構は、ピストン３の内部にウェイト収納部３Ａを形成し、このウェイト収納部３Ａ内にウェイト５を移動自在に配置したものである（図１参照）。そして、弾Ｑ発射時に、ピストン３内部のウェイト５がピストン３と共にシリンダー４先端側に高速移動することで反作用を発生させる構成を採用した（図８参照）。
【００２６】
図示例のウェイト収納部３Ａは、ピストン３を構成する部材に後端部が開口した凹み形状を成し、凹みの先端側となる先端部内側面３Ｂ方向にウェイト５の先端を向けて挿入している（図１０参照）。ピストン３の材質は、合成樹脂、アルミニウム、チタンなど、比較的計量素材を選択することで、ピストン３の高速移動を可能にすると共に、ピストン３先端とシリンダー４との衝突時のダメージを少なくすることができる。一方、ウェイト５の材質に重量のある金属製素材を選択することで、より大きな反作用を得ることができる。尚、ウェイト５の形状、材質、重さ等は任意に設定することができる。
【００２７】
また、ピストン３の先端部内側面３Ｂにウェイト５が衝突すると、ピストン３や、シリンダー４をも破損する虞がある（図８参照）。そこで、ウェイト５の先端側に緩衝体６を設け、この緩衝体６でウェイト５衝突時の衝撃力を低減するように構成している。図示例の緩衝体６は、ピストン３先端の凹部から突出するコイルスプリングを使用している（図１参照）。緩衝体６は、この他、ゴム材や合成樹脂材、蛇腹状のエアークッション体、オイルクッションなど、ウェイト５の衝突時の衝撃力を低減するものであれば良いものである。
【００２８】
ウェイト５は、ピストンスプリング２の先端部内側に収納され、該ピストンスプリング２と共に前記ウェイト収納部３Ａ内で前後移動するように構成している。このようにウェイト５をピストンスプリング２先端に収納することで、スペースが限られた機関部Ｐの内部でピストンスプリング２のストロークを大きくすることができる。図示例では、ピストンのウェイト収納部３Ａ内に後方から挿入するピストンスプリング２を設け、このピストンスプリング２の先端側の内部に円柱状のウェイト５を収納している（図２参照）。この際、ウェイト５の先端部に係止フランジ５Ａを形成し、この係止フランジ５Ａにピストンスプリング２の先端を係止させている（図２参照）。
【００２９】
ピストンシリンダー装置１のシリンダー４は、シリンダー４の先端に形成されたシリンダーノズル４Ａから圧縮空気を噴射して弾を発射するように設けられている（図６参照）。一方、シリンダー４内に嵌入しているピストン３の先端には、シリンダーノズル４Ａ内に遊嵌する突起３Ｃを突設している。そして、弾発射後に突起３Ｃの先端がシリンダーノズル４Ａの内部に遊嵌すると、この時点でシリンダー４とピストン３先端との間に残っている圧縮空気の排出量が極端に制限されることになる（図７参照）。そのため、残りの圧縮空気がシリンダーノズル４Ａの内壁と、シリンダーノズル４Ａに遊嵌した突起３Ｃの外壁との狭い隙間から排出されるまで、この圧縮空気によるエアークッション作用が生じることになる（図８参照）。したがって、ピストン３の先端がシリンダー４内に衝突する際の衝撃を緩和することが可能になる。図示例では、シリンダー４の先端内部に緩衝ゴム板４Ｂを装着し、ピストン３の衝撃を二重に緩和するように設けている。
【００３０】
図１０は、ピストン３の先端にネジ止めする突起３Ｃを設け、この突起３Ｃの長さを調整治具Ｕにより任意に調整するように構成したものである。突起３Ｃを長めに設定すると、シリンダー４とピストン３先端との間に残っている圧縮空気の量が増えるので、衝撃力や発射音を低減することができる。一方、突起３Ｃの長さを短めに設定すると、圧縮空気の量が減るので、衝撃力や発射音を増大させることが可能になる。
【００３１】
ピストンスプリング２は、機関部Ｐに設けられたスプリングガイド部７に囲まれるように配置している（図１参照）。そして、ピストンスプリング２を圧縮した時に生じるピストンスプリング２のうねりをスプリングガイド部７で補正するように構成している（図３参照）。図示のスプリングガイド部７は、機関部Ｐを収納する筐体Ｐ１の内部に形成されたレール状の突起物である（図９参照）。そして、複数のスプリングガイド部７をピストンスプリング２の長手側面に沿った外側に配置することで、うねりを補正するものである。
【００３２】
次に、図２乃至図８に基づいて本発明反作用発生機構を備えた機関部Ｐの動作を説明する。図２のごとく、トリガーＴを引いて通電すると、扇形ギヤＳの回転によってピストンラックギヤ３Ｄが後方へ移動する。その際、ピストン３が後方移動するのに伴って、ピストン３内部の緩衝体６及びピストンスプリング２が縮退する。
【００３３】
図３のごとく、ピストン３と一体になったウェイト５は、ピストンスプリング２と共に更に後方へ移動する。この際、ピストン３前方のシリンダー内部に圧縮用の空気が吸気される。
【００３４】
図４のごとく、ピストン３が最後尾まで移動した時点で、ピストンラックギヤ３Ｄから扇形ギヤＳが離脱する。
【００３５】
図５のごとく、ピストン３はフリー状態になり、ピストンスプリング２の押圧付勢がウェイト５とピストン３を前進方向に向けて急加速する。この際、緩衝体６も自身の弾性力にておよそ基の長さの状態に伸長する。
【００３６】
図６のごとく、ウェイト収納部３Ａの先端側に緩衝体６による隙間を保ちつつ、更にピストン３が前進し、所定の位置に達すると、シリンダー４内の圧縮空気がシリンダーノズル４Ａから排出され、弾Ｑが発射される。
【００３７】
図７のごとく、弾Ｑが発射された後、更にピストン３が前進すると、シリンダーノズル４Ａ内に突起３Ｃが遊嵌し始める。この際、シリンダー４内の残っている圧縮空気の排出量が激減するので、残留した圧縮空気はエアークッションに変換され、ピストン３の前進速度に急ブレーキをかける状態になる。
【００３８】
図８のごとく、エアークッション効果のあるうちに、ピストンスプリング２の押圧力が緩衝体６を押し縮めながら、ピストン３の先端側にウェイト５が突き当たり、その一瞬後にエアークッションのエアーはシリンダーノズル４Ａの隙間から消滅する。
【００３９】
尚、本発明の機関部Ｐやピストンシリンダー装置１は図示例に限定されるものではなく、本発明の要旨を変更しない範囲であれば他の形状に変更することも可能である。
【符号の説明】
【００４０】
Ｐ  機関部
Ｐ１  筐体
Ｑ  弾
Ｒ  銃口
Ｓ  扇形ギヤ
Ｔ  トリガー
Ｕ  調整治具
１  ピストンシリンダー装置
２  ピストンスプリング
３  ピストン
３Ａ  ウェイト収納部
３Ｂ  先端部内側面
３Ｃ  突起
３Ｄ  ピストンラックギヤ
３Ｅ  ゴムパッキン
４  シリンダー
４Ａ  シリンダーノズル
４Ｂ  緩衝ゴム板
５  ウェイト
５Ａ  係止フランジ
６  緩衝体
７  スプリングガイド部
【要約】
【課題】拳銃などの玩具銃にも適応し、実銃の反作用が発生する位置までリアルに再現することが可能な玩具銃の反作用発生機構を提供する。
【解決手段】ピストン３の往復動作に伴って前後移動するウェイト５を設ける。ピストン３の内部にウェイト収納部３Ａを形成する。このウェイト収納部３Ａ内にウェイト５を移動自在に配置する。弾Ｑ発射時に、ウェイト５がピストン３と共にシリンダー４先端側に高速移動することで反作用を発生させるように構成する。ウェイト５の先端とピストン３の先端部内側面３Ｂとの間に緩衝体６を設置する。緩衝体６でウェイト５の衝突時の衝撃力を低減するように構成する。
【選択図】  図１【図１】
0005591393.tif 000002
【図２】
0005591393.tif 000003
【図３】
0005591393.tif 000004
【図４】
0005591393.tif 000005
【図５】
0005591393.tif 000006
【図６】
0005591393.tif 000007
【図７】
0005591393.tif 000008
【図８】
0005591393.tif 000009
【図９】
0005591393.tif 000010
【図１０】
0005591393.tif 000011